(57)【要約】      （修正有）【課題】狭帯域動作のためのチャネルラスタの設計のための技法を提供する。【解決手段】基地局によって実行される方法は、１つまたは複数の条件に基づいて、ユーザ機器との狭帯域通信を実行するために、１つまたは複数のチャネルの厳密な周波数ロケーションを決定することと、１つまたは複数の条件の指示をユーザ機器に送信することと、１つのチャネルの厳密な周波数ロケーションに少なくとも部分的に基づいて、ＵＥと通信することを含む。【選択図】図７
2020058045.tif 000002
【特許請求の範囲】
【請求項１】
基地局（ＢＳ）によるワイヤレス通信のための方法であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を備える、方法。
【請求項２】
前記１つまたは複数の条件は、前記厳密な周波数ロケーションが、拡張マシンタイプ通信（ｅＭＴＣ）のためのシステム情報ブロック（ＳＩＢ）を送信するために利用可能な狭帯域と一致するかどうかを備える、請求項１に記載の方法。
【請求項３】
ｅＭＴＣのためのＳＩＢを送信するために利用可能な狭帯域のセットが、所与の動作帯域幅のためのアンカーチャネルロケーションとして利用可能な１つまたは複数の狭帯域だけ低減される、請求項２に記載の方法。
【請求項４】
前記１つまたは複数の条件が前記ＵＥの動作帯域幅を備え、
前記厳密な周波数ロケーションを決定することが、前記所与の動作帯域幅のためのアンカーチャネルロケーションを選択することを備える、
請求項１に記載の方法。
【請求項５】
前記１つまたは複数のチャネルの数がセル識別子（ＩＤ）に基づく、請求項１に記載の方法。
【請求項６】
前記厳密な周波数ロケーションの指示を前記ＵＥにシグナリングすること
をさらに備える、請求項１に記載の方法。
【請求項７】
前記指示が、周波数グリッドに関する周波数オフセットを備える、請求項６に記載の方法。
【請求項８】
前記指示が、マスタ情報ブロック（ＭＩＢ）、１次同期信号（ＰＳＳ）、２次同期信号（ＳＳＳ）、または物理ダウンリンクブロードキャストチャネル（ＰＢＣＨ）のうちの少なくとも１つにおいて与えられる、請求項６に記載の方法。
【請求項９】
前記１つまたは複数の条件が、前記狭帯域通信のための展開のタイプを伴う、請求項１に記載の方法。
【請求項１０】
前記１つまたは複数の条件の前記指示を送信することが、展開の前記タイプを示すために、セル固有基準信号（ＣＲＳ）のために使用されるアンテナポートの数をシグナリングすることを備える、請求項９に記載の方法。
【請求項１１】
マスタ情報ブロック（ＭＩＢ）中の１つまたは複数のビットを生成すること、ここにおいて、前記１つまたは複数のビットが、動作帯域幅、または周波数グリッドに関する周波数オフセットを示す、
をさらに備え、
ここにおいて、前記１つまたは複数の条件が、前記ＭＩＢ中の前記１つまたは複数のビットを備える、
請求項９に記載の方法。
【請求項１２】
前記１つまたは複数のチャネルの周波数ロケーションが、ラスタ周波数ロケーションに対応し、ここにおいて、前記ラスタ周波数ロケーションが不均一に分散される、請求項１に記載の方法。
【請求項１３】
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を行うように構成された少なくとも１つのプロセッサと、
前記少なくとも１つのプロセッサに結合されたメモリと
を備える、装置。
【請求項１４】
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定するための手段と、
前記１つまたは複数の条件の指示を前記ＵＥに送信するための手段と、
前記１つのチャネルの前記厳密な周波数ロケーションに少なくとも部分的に基づいて、前記ＵＥと通信するための手段と
を備える、装置。
【請求項１５】
基地局（ＢＳ）によるワイヤレス通信のためのコンピュータ可読媒体であって、前記コンピュータ可読媒体が、
１つまたは複数の条件に基づいて、ユーザ機器（ＵＥ）との狭帯域通信を実行するために、１つまたは複数のチャネルのうちの１つのチャネルの厳密な周波数ロケーションを決定するためのコードと、
前記１つまたは複数の条件の指示を前記ＵＥに送信するためのコードと、
前記１つのチャネルの前記厳密な周波数ロケーションに少なくとも部分的に基づいて、前記ＵＥと通信するためのコードと
を備える、コンピュータ実行可能コードを記憶した、コンピュータ可読媒体。
【請求項１６】
ユーザ機器（ＵＥ）によるワイヤレス通信のための方法であって、
１つまたは複数のチャネルにおいてセル探索を実行することと、
セルが前記１つまたは複数のチャネルのうちの１つのチャネル中に存在すると決定することと、
前記１つのチャネルの周波数ロケーションと、アンテナポートの数と、前記セルの基地局との狭帯域通信のための展開モードとを決定することと、
前記１つのチャネルの前記周波数ロケーションと、アンテナポートの前記数と、前記展開モードとに少なくとも部分的に基づいて、前記基地局と通信することと
を備える、方法。
【請求項１７】
前記１つのチャネルの前記周波数ロケーションと、アンテナポートの前記数と、前記展開モードとを決定することが、
マスタ情報ブロック（ＭＩＢ）を受信することと、
前記ＭＩＢ中の第１のフィールドに少なくとも部分的に基づいて、アンテナポートの前記数を決定することと、
前記ＭＩＢ中の前記第１のフィールドと前記ＭＩＢ中の第２のフィールドとに少なくとも部分的に基づいて、前記周波数ロケーションを決定することと、
前記ＭＩＢ中の前記第１のフィールドと前記ＭＩＢ中の前記第２のフィールドとに少なくとも部分的に基づいて、前記展開モードを決定することと
を備える、請求項１６に記載の方法。
【請求項１８】
前記１つのチャネルの前記周波数ロケーションを前記決定することが、
マスタ情報ブロック（ＭＩＢ）を受信することと、
前記ＭＩＢ中の第２のフィールドに基づいて、広帯域セルの中心周波数に対する物理リソースブロック（ＰＲＢ）位置を決定することと、
前記ＰＲＢ位置に少なくとも部分的に基づいて、前記１つのチャネルの前記周波数ロケーションを決定することと
を備える、請求項１６に記載の方法。
【請求項１９】
前記１つのチャネルが、より広いシステム帯域幅の狭帯域領域中にあり、
前記方法は、前記セルのためのセル識別子（ＩＤ）が、前記より広いシステム帯域幅を使用する広帯域セルのためのセルＩＤと同じであると決定することをさらに備える、
請求項１６に記載の方法。
【請求項２０】
前記セルが無認可スペクトル中にあるという指示を受信することをさらに備える、請求項１６に記載の方法。
【請求項２１】
前記指示が、マスタ情報ブロック（ＭＩＢ）または物理ブロードキャストチャネル（ＰＢＣＨ）のうちの少なくとも１つにおいて受信される、請求項２０に記載の方法。
【請求項２２】
ワイヤレス通信のための装置であって、
１つまたは複数のチャネルにおいてセル探索を実行することと、
セルが前記１つまたは複数のチャネルのうちの１つのチャネル中に存在すると決定することと、
前記１つのチャネルの周波数ロケーションと、アンテナポートの数と、前記セルの基地局との狭帯域通信のための展開モードとを決定することと、
前記１つのチャネルの前記周波数ロケーションと、アンテナポートの前記数と、前記展開モードとに少なくとも部分的に基づいて、前記基地局と通信することと
を行うように構成された少なくとも１つのプロセッサと、
前記少なくとも１つのプロセッサに結合されたメモリと
を備える、装置。
【請求項２３】
ワイヤレス通信のための装置であって、
１つまたは複数のチャネルにおいてセル探索を実行するための手段と、
セルが前記１つまたは複数のチャネルのうちの１つのチャネル中に存在すると決定するための手段と、
前記１つのチャネルの周波数ロケーションと、アンテナポートの数と、前記セルの基地局との狭帯域通信のための展開モードとを決定するための手段と、
前記１つのチャネルの前記周波数ロケーションと、アンテナポートの前記数と、前記展開モードとに少なくとも部分的に基づいて、前記基地局と通信するための手段と
を備える、装置。
【請求項２４】
ユーザ機器（ＵＥ）によるワイヤレス通信のためのコンピュータ可読媒体であって、前記コンピュータ可読媒体が、
１つまたは複数のチャネルにおいてセル探索を実行するためのコードと、
セルが前記１つまたは複数のチャネルのうちの１つのチャネル中に存在すると決定するためのコードと、
前記１つのチャネルの周波数ロケーションと、アンテナポートの数と、前記セルの基地局との狭帯域通信のための展開モードとを決定するためのコードと、
前記１つのチャネルの前記周波数ロケーションと、アンテナポートの前記数と、前記展開モードとに少なくとも部分的に基づいて、前記基地局と通信するためのコードと
を備える、コンピュータ実行可能コードを記憶した、コンピュータ可読媒体。
【請求項２５】
基地局（ＢＳ）によるワイヤレス通信のための方法であって、
１つまたは複数のチャネルのうちのチャネルの周波数ロケーションと、アンテナポートの数と、前記基地局との狭帯域通信のための展開モードとを示す情報を、ユーザ機器（ＵＥ）に送信することと、
前記チャネルの前記周波数ロケーションと、アンテナポートの前記数と、前記展開モードとに少なくとも部分的に基づいて、前記ＵＥと通信することと
を備える、方法。
【請求項２６】
前記情報がマスタ情報ブロック（ＭＩＢ）中で与えられ、
アンテナポートの前記数が、少なくとも、前記ＭＩＢ中の第１のフィールドによって示され、
前記チャネルの前記周波数ロケーションが、少なくとも、前記ＭＩＢ中の前記第１のフィールドと前記ＭＩＢ中の第２のフィールドとによって示され、
前記展開モードが、少なくとも、前記ＭＩＢ中の前記第１のフィールドと前記ＭＩＢ中の前記第２のフィールドとによって示される、
請求項２５に記載の方法。
【請求項２７】
前記情報がマスタ情報ブロック（ＭＩＢ）中で与えられ、
前記チャネルの前記周波数ロケーションが、広帯域セルの中心周波数に対する物理リソースブロック（ＰＲＢ）位置を示す前記ＭＩＢ中の第２のフィールドによって示される、請求項２５に記載の方法。
【請求項２８】
前記１つまたは複数のチャネルのうちの前記チャネルが、より広いシステム帯域幅の狭帯域領域中にあり、
前記情報は、前記ＢＳを備えるセルのためのセルＩＤが、前記より広いシステム帯域幅を使用する広帯域セルのためのセルＩＤと同じであるかどうかを示す、
請求項２５に記載の方法。
【請求項２９】
前記ＢＳを備えるセルが無認可スペクトル中にあるという指示を与えることをさらに備える、請求項２５に記載の方法。
【請求項３０】
前記指示が、マスタ情報ブロック（ＭＩＢ）または物理ブロードキャストチャネル（ＰＢＣＨ）のうちの少なくとも１つにおいて与えられる、請求項２９に記載の方法。
【請求項３１】
ワイヤレス通信のための装置であって、
１つまたは複数のチャネルのうちのチャネルの周波数ロケーションと、アンテナポートの数と、前記装置との狭帯域通信のための展開モードとを示す情報を、少なくとも１つのアンテナを介して、ユーザ機器（ＵＥ）に送信することと、
前記チャネルの前記周波数ロケーションと、アンテナポートの前記数と、前記展開モードとに少なくとも部分的に基づいて、前記ＵＥと通信することと
を行うように構成された少なくとも１つのプロセッサと、
前記少なくとも１つのプロセッサに結合されたメモリと
を備える、装置。
【請求項３２】
ワイヤレス通信のための装置であって、
１つまたは複数のチャネルのうちのチャネルの周波数ロケーションと、アンテナポートの数と、前記装置との狭帯域通信のための展開モードとを示す情報を、ユーザ機器（ＵＥ）に送信するための手段と、
前記チャネルの前記周波数ロケーションと、アンテナポートの前記数と、前記展開モードとに少なくとも部分的に基づいて、前記ＵＥと通信するための手段と
を備える、装置。
【請求項３３】
基地局（ＢＳ）によるワイヤレス通信のためのコンピュータ可読媒体であって、前記コンピュータ可読媒体が、
１つまたは複数のチャネルのうちのチャネルの周波数ロケーションと、アンテナポートの数と、前記装置との狭帯域通信のための展開モードとを示す情報を、ユーザ機器（ＵＥ）に送信するためのコードと、
前記チャネルの前記周波数ロケーションと、アンテナポートの前記数と、前記展開モードとに少なくとも部分的に基づいて、前記ＵＥと通信するためのコードと
を備える、コンピュータ実行可能コードを記憶した、コンピュータ可読媒体。
【発明の詳細な説明】
【技術分野】
【０００１】
関連出願の相互参照
[0001]本出願は、すべてが本出願の譲受人に譲渡され、参照により本明細書に明確に組み込まれる、２０１６年１月１５日に出願された米国仮出願第６２／２７９，６５２号と、２０１６年２月１４日に出願された米国仮出願第６２／２９５，１３２号と、２０１６年３月１４日に出願された米国仮出願第６２／３０８，０００号と、２０１６年１２月２２日に出願された米国特許出願番号第１５／３８７，９７０号との利益を主張する。
【０００２】
[0002]本開示のいくつかの態様は、一般にワイヤレス通信に関し、より詳細には、狭帯域動作のための周波数ラスタの設計に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンスト（ＬＴＥ−Ａ）システムおよび直交周波数分割多元接続（ＯＦＤＭＡ）システムを含む。
【０００４】
[0004]概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。いくつかのＵＥは、基地局、別のリモートデバイス、または何らかの他のエンティティと通信し得る、リモートデバイスを含み得る、マシンタイプ通信（ＭＴＣ）ＵＥと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００６】
[0006]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００７】
[0007]本開示のいくつかの態様は、基地局（ＢＳ）によるワイヤレス通信のための方法を提供する。本方法は、概して、１つまたは複数の条件に基づいて、ＵＥとの狭帯域通信を実行するために、１つまたは複数のチャネルのうちの１つのチャネルの厳密な周波数ロケーションを決定することを含む。本方法はまた、１つまたは複数の条件の指示をＵＥに送信することを含む。本方法は、１つのチャネルの厳密な周波数ロケーションに少なくとも部分的に基づいて、ＵＥと通信することをさらに含む。
【０００８】
[0008]本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、１つまたは複数の条件に基づいて、ＵＥとの狭帯域通信を実行するために、１つまたは複数のチャネルのうちの１つのチャネルの厳密な周波数ロケーションを決定するように構成される。少なくとも１つのプロセッサはまた、１つまたは複数の条件の指示をＵＥに送信するように構成される。少なくとも１つのプロセッサは、チャネルの厳密な周波数ロケーションに少なくとも部分的に基づいて、ＵＥと通信するようにさらに構成される。
【０００９】
[0009]本開示のいくつかの態様は、ワイヤレス通信のための装置を提供する。本装置は、概して、１つまたは複数の条件に基づいて、ＵＥとの狭帯域通信を実行するために、１つまたは複数のチャネルのうちの１つのチャネルの厳密な周波数ロケーションを決定するための手段を含む。本装置はまた、１つまたは複数の条件の指示をＵＥに送信するための手段を含む。本装置はまた、１つのチャネルの厳密な周波数ロケーションに少なくとも部分的に基づいて、ＵＥと通信するための手段を含む。
【００１０】
[0010]本開示のいくつかの態様は、コンピュータ実行可能コードを記憶したコンピュータ可読媒体を提供する。コンピュータ実行可能コードは、概して、ＢＳによって、１つまたは複数の条件に基づいて、ＵＥとの狭帯域通信を実行するために、１つまたは複数のチャネルのうちの１つのチャネルの厳密な周波数ロケーションを決定するためのコードを含む。コンピュータ実行可能コードはまた、ＢＳによって、１つまたは複数の条件の指示をＵＥに送信するためのコードを含む。コンピュータ実行可能コードは、ＢＳによって、１つのチャネルの厳密な周波数ロケーションに少なくとも部分的に基づいて、ＵＥと通信するためのコードをさらに含む。
【００１１】
[0011]本開示のいくつかの態様は、ＵＥによるワイヤレス通信のための方法を提供する。本方法は、概して、１つまたは複数のチャネルにおいてセル探索を実行することを含む。本方法はまた、セルが１つまたは複数のチャネルのうちの１つ中に存在すると決定することと、１つまたは複数の条件に基づいて、ＢＳとの狭帯域通信のための１つのチャネルの厳密な周波数ロケーションを決定することとを含む。本方法は、１つのチャネルの厳密な周波数ロケーションに少なくとも部分的に基づいて、ＢＳと通信することをさらに含む。
【００１２】
[0012]本開示のいくつかの態様は、装置を提供する。本装置は、概して、少なくとも１つのプロセッサと、少なくとも１つのプロセッサに結合されたメモリとを含む。少なくとも１つのプロセッサは、１つまたは複数のチャネルにおいてセル探索を実行するように構成される。少なくとも１つのプロセッサはまた、セルが１つまたは複数のチャネルのうちの１つ中に存在すると決定することと、１つまたは複数の条件に基づいて、ＢＳとの狭帯域通信のための１つのチャネルの厳密な周波数ロケーションを決定することとを行うように構成される。少なくとも１つのプロセッサは、１つのチャネルの厳密な周波数ロケーションに少なくとも部分的に基づいて、ＢＳと通信するようにさらに構成される。
【００１３】
[0013]本開示のいくつかの態様は、装置を提供する。本装置は、概して、１つまたは複数のチャネルにおいてセル探索を実行するための手段を含む。本装置はまた、セルが１つまたは複数のチャネルのうちの１つ中に存在すると決定するための手段と、１つまたは複数の条件に基づいて、ＢＳとの狭帯域通信のための１つのチャネルの厳密な周波数ロケーションを決定するための手段とを含む。本装置は、１つのチャネルの厳密な周波数ロケーションに少なくとも部分的に基づいて、ＢＳと通信することをさらに含む。
【００１４】
[0014]本開示のいくつかの態様は、コンピュータ実行可能コードを記憶したコンピュータ可読媒体を提供する。コンピュータ実行可能コードは、概して、ＵＥによって、１つまたは複数のチャネルにおいてセル探索を実行するためのコードを含む。コンピュータ実行可能コードはまた、ＵＥによって、セルが１つまたは複数のチャネルのうちの１つ中に存在すると決定するためのコードと、ＵＥによって、１つまたは複数の条件に基づいて、ＢＳとの狭帯域通信のための１つのチャネルの厳密な周波数ロケーションを決定するためのコードとを含む。コンピュータ実行可能コードは、ＵＥによって、１つのチャネルの厳密な周波数ロケーションに少なくとも部分的に基づいて、ＢＳと通信するためのコードをさらに含む。
【００１５】
[0015]本開示のいくつかの態様は、ＵＥによるワイヤレス通信のための方法を提供する。本方法は、概して、１つまたは複数のチャネルにおいてセル探索を実行することを含む。本方法はまた、セルが１つまたは複数のチャネルのうちの１つのチャネル中に存在すると決定することと、１つのチャネルの周波数ロケーションと、アンテナポートの数と、セルのＢＳとの狭帯域通信のための展開モードとを決定することとを含む。本方法は、１つのチャネルの周波数ロケーションと、アンテナポートの数と、展開モードとに少なくとも部分的に基づいて、ＢＳと通信することをさらに含む。
【００１６】
[0016]本開示のいくつかの態様は、装置を提供する。本装置は、概して、少なくとも１つのプロセッサと、少なくとも１つのプロセッサに結合されたメモリとを含む。少なくとも１つのプロセッサは、１つまたは複数のチャネルにおいてセル探索を実行するように構成される。少なくとも１つのプロセッサはまた、セルが１つまたは複数のチャネルのうちの１つのチャネル中に存在すると決定することと、１つのチャネルの周波数ロケーションと、アンテナポートの数と、セルのＢＳとの狭帯域通信のための展開モードとを決定することとを行うように構成される。少なくとも１つのプロセッサは、１つのチャネルの周波数ロケーションと、アンテナポートの数と、展開モードとに少なくとも部分的に基づいて、ＢＳと通信するようにさらに構成される。
【００１７】
[0017]本開示のいくつかの態様は、装置を提供する。本装置は、概して、１つまたは複数のチャネルにおいてセル探索を実行するための手段を含む。本装置はまた、セルが１つまたは複数のチャネルのうちの１つのチャネル中に存在すると決定するための手段と、１つのチャネルの周波数ロケーションと、アンテナポートの数と、セルのＢＳとの狭帯域通信のための展開モードとを決定するための手段とを含む。本装置は、１つのチャネルの周波数ロケーションと、アンテナポートの数と、展開モードとに少なくとも部分的に基づいて、ＢＳと通信するための手段をさらに含む。
【００１８】
[0018]本開示のいくつかの態様は、コンピュータ実行可能コードを記憶したコンピュータ可読媒体を提供する。コンピュータ実行可能コードは、概して、ＵＥによって、１つまたは複数のチャネルにおいてセル探索を実行するためのコードを含む。コンピュータ実行可能コードはまた、ＵＥによって、セルが１つまたは複数のチャネルのうちの１つのチャネル中に存在すると決定するためのコードと、ＵＥによって、１つのチャネルの周波数ロケーションと、アンテナポートの数と、セルのＢＳとの狭帯域通信のための展開モードとを決定するためのコードとを含む。コンピュータ実行可能コードは、ＵＥによって、１つのチャネルの周波数ロケーションと、アンテナポートの数と、展開モードとに少なくとも部分的に基づいて、ＢＳと通信するためのコードをさらに含む。
【００１９】
[0019]本開示のいくつかの態様は、ＢＳによるワイヤレス通信のための方法を提供する。本方法は、概して、１つまたは複数のチャネルのうちのチャネルの周波数ロケーションと、アンテナポートの数と、ＢＳとの狭帯域通信のための展開モードとを示す情報を、ＵＥに送信することを含む。本方法はまた、チャネルの周波数ロケーションと、アンテナポートの数と、展開モードとに少なくとも部分的に基づいて、ＵＥと通信することを含む。
【００２０】
[0020]本開示のいくつかの態様は、装置を提供する。本装置は、概して、少なくとも１つのプロセッサと、少なくとも１つのプロセッサに結合されたメモリとを含む。少なくとも１つのプロセッサは、１つまたは複数のチャネルのうちのチャネルの周波数ロケーションと、アンテナポートの数と、本装置との狭帯域通信のための展開モードとを示す情報を、ＵＥに送信するように構成される。少なくとも１つのプロセッサはまた、チャネルの周波数ロケーションと、アンテナポートの数と、展開モードとに少なくとも部分的に基づいて、ＵＥと通信するように構成される。
【００２１】
[0021]本開示のいくつかの態様は、装置を提供する。本装置は、概して、１つまたは複数のチャネルのうちのチャネルの周波数ロケーションと、アンテナポートの数と、本装置との狭帯域通信のための展開モードとを示す情報を、ＵＥに送信するための手段を含む。本装置はまた、チャネルの周波数ロケーションと、アンテナポートの数と、展開モードとに少なくとも部分的に基づいて、ＵＥと通信するための手段を含む。
【００２２】
[0022]本開示のいくつかの態様は、コンピュータ実行可能コードを記憶したコンピュータ可読媒体を提供する。コンピュータ実行可能コードは、概して、ＢＳによって、１つまたは複数のチャネルのうちのチャネルの周波数ロケーションと、アンテナポートの数と、ＢＳとの狭帯域通信のための展開モードとを示す情報を、ＵＥに送信するためのコードを含む。コンピュータ実行可能コードはまた、ＢＳによって、チャネルの周波数ロケーションと、アンテナポートの数と、展開モードとに少なくとも部分的に基づいて、ＵＥと通信するためのコードを含む。
【００２３】
[0023]方法、装置、システム、コンピュータプログラム製品、コンピュータ可読媒体、および処理システムを含む多数の他の態様が提供される。上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２４】
[0024]本開示の上記で具陳された特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００２５】
【図１】[0025]本開示のいくつかの態様による、ワイヤレス通信ネットワークの一例を概念的に示すブロック図。
【図２】[0026]本開示のいくつかの態様による、ワイヤレス通信ネットワークにおいてユーザ機器（ＵＥ）と通信している基地局の一例を概念的に示すブロック図。
【図３】[0027]ロングタームエボリューション（ＬＴＥ）における周波数分割複信（ＦＤＤ）のための例示的なフレーム構造を示す図。
【図４】[0028]ノーマルサイクリックプレフィックスをもつ２つの例示的なサブフレームフォーマットを示す図。
【図５】[0029]本開示のいくつかの態様による、周波数ラスタがチャネル帯域幅とは異なる、例示的なシステムを示す図。
【図６】[0030]本開示のいくつかの態様による、基地局（ＢＳ）によって実行され得る例示的な動作を示す図。
【図７】[0031]本開示のいくつかの態様による、ユーザ機器（ＵＥ）によって実行され得る例示的な動作を示す図。
【図８】[0032]本開示のいくつかの態様による、ラスタ周波数と整合するためにトーンシフトを適用することの一例を示す図。
【図９】[0033]本開示のいくつかの態様による、ＢＳによって実行され得る例示的な動作を示す図。
【図１０】[0034]本開示のいくつかの態様による、ＵＥによって実行され得る例示的な動作を示す図。
【図１１】[0035]本開示のいくつかの態様による、ＳＩＢ１ｂｉｓスケジューリングのためのテーブルの一例を示す図。
【図１２】[0036]本開示のいくつかの態様による、ＳＩＢ１ｂｉｓスケジューリングのための別のテーブルの一例を示す図。
【発明を実施するための形態】
【００２６】
[0037]理解を容易にするために、可能な場合、各図に共通である同じ要素を指定するために同じ参照番号が使用されている。一実施形態において開示される要素が、特定の具陳なしに他の実施形態に対して有益に利用され得ることが企図される。
【００２７】
[0038]本開示のいくつかの態様は、一般に、狭帯域動作のための周波数ラスタの設計に関する。以下でより詳細に説明されるように、本明細書で提示される態様は、通信ネットワークにおけるデバイスが、１つまたは複数の条件に基づいて、狭帯域通信のためのチャネルの厳密な周波数ロケーションを決定することを可能にする。決定されると、デバイスは、チャネルの周波数ロケーションに部分的に基づいて通信し得る。いくつかの態様では、ネットワークにおけるデバイスは、通信ネットワークにおける狭帯域通信のためのアンテナポートの数または展開モードのうちの少なくとも１つをも決定し得る。決定されると、デバイス間の通信は、アンテナポートの数と展開モードとにさらに基づき得る。
【００２８】
[0039]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ：time division synchronous CDMA）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ：evolved UTRA）、ウルトラモバイルブロードバンド（ＵＭＢ：ultra mobile broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：universal mobile telecommunication system）の一部である。周波数分割複信（ＦＤＤ）と時分割複信（ＴＤＤ）の両方における３ＧＰＰロングタームエボリューション（ＬＴＥ）およびＬＴＥアドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。ＬＴＥ、ＬＴＥ−Ａ、無認可スペクトルにおけるＬＴＥ（ＬＴＥ−ホワイトスペース）などは、一般にＬＴＥと呼ばれる。明快のために、本技法のいくつかの態様が以下でＬＴＥに関して説明され、以下の説明の大部分でＬＴＥ用語が使用される。
【００２９】
例示的なワイヤレス通信システム
[0040]図１は、本開示の態様が実施され得る例示的なワイヤレス通信ネットワーク１００を示す。たとえば、図１に示されているＵＥおよびｅＮＢは、狭帯域動作のための展開モードのタイプまたは狭帯域通信のための正確な（たとえば、厳密な）周波数ロケーションのうちの少なくとも１つを決定するために本明細書で提示される技法を使用し得る。
【００３０】
[0041]ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００３１】
[0042]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは１つまたは複数の（たとえば、３つの）セルをサポートし得る。「ｅＮＢ」、「基地局」および「セル」という用語は、本明細書では互換的に使用され得る。
【００３２】
[0043]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００３３】
[0044]ワイヤレスネットワーク１００は、異なるタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレスネットワーク１００における干渉に対する異なる影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００３４】
[0045]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００３５】
[0046]ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブック、ドローン、ロボット／ロボティックデバイス、ウェアラブルデバイス（たとえば、スマートウォッチ、スマート眼鏡、スマートゴーグル、スマートリストバンド、スマートリング、スマートブレスレット、スマート衣類）、医療デバイス、車両デバイスなどであり得る。いくつかのＵＥは、センサー、メーター、ロケーションタグ、モニタ、ドローン、ロボット／ロボティックデバイスなど、リモートデバイスを含み得る、マシンタイプ通信（ＭＴＣ）ＵＥと見なされ得る。概して、ＭＴＣデバイスは、限定はしないが、モノのインターネット（ＩｏＴ：Internet of Things）デバイス、あらゆるモノのインターネット（ＩｏＥ：Internet of Everything）デバイス、ウェアラブルデバイスおよび低コストデバイスを含む、ワイヤレス通信における広いクラスのデバイスを含み得る。ＭＴＣ  ＵＥ、ならびに他のタイプのＵＥは、狭帯域モノのインターネット（ＮＢ−ＩｏＴ：narrowband internet of things）デバイスとして実装され得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００３６】
[0047]ワイヤレス通信ネットワーク１００（たとえば、ＬＴＥネットワーク）中の１つまたは複数のＵＥ１２０はまた、狭帯域帯域幅ＵＥであり得る。これらのＵＥは、ＬＴＥネットワーク中の（たとえば、より広い帯域幅上で動作することが可能な）レガシーおよび／または高度ＵＥと共存し得、ワイヤレスネットワーク中の他のＵＥと比較して制限された１つまたは複数の能力を有し得る。たとえば、ＬＴＥ  Ｒｅｌ−１２では、ＬＴＥネットワーク中のレガシーおよび／または高度ＵＥと比較して、狭帯域ＵＥは、（レガシーＵＥに対する）最大帯域幅の低減、単一の受信無線周波数（ＲＦ）チェーン、ピークレートの低減（たとえば、トランスポートブロックサイズ（ＴＢＳ）のための最大１０００ビットがサポートされ得る）、送信電力の低減、ランク１送信、半二重動作などのうちの１つまたは複数を用いて動作し得る。いくつかの場合には、半二重動作がサポートされる場合、狭帯域ＵＥは、送信動作から受信動作への（または受信動作から送信動作への）緩和された切替えタイミングを有し得る。たとえば、ある場合には、レガシーおよび／または高度ＵＥのための２０マイクロ秒（μｓ）の切替えタイミングと比較して、狭帯域ＵＥは１ミリ秒（ｍｓ）の緩和された切替えタイミングを有し得る。
【００３７】
[0048]いくつかの場合には、（たとえば、ＬＴＥリリース１２以降、たとえば、５Ｇリリースにおける）狭帯域ＵＥはまた、ＬＴＥネットワーク中のレガシーおよび／または高度ＵＥがダウンリンク（ＤＬ）制御チャネルを監視するのと同様に離れて、ＤＬ制御チャネルを監視することが可能であり得る。たとえば、リリース１２狭帯域ＵＥは、依然として、通常ＵＥと同様の方法でダウンリンク（ＤＬ）制御チャネルを監視し得、たとえば、最初の数個のシンボル中の広帯域制御チャネル（たとえば、物理ダウンリンク制御チャネル（ＰＤＣＣＨ：physical downlink control channel））、ならびに比較的狭帯域を占有するが、サブフレームの長さにわたる狭帯域制御チャネル（たとえば、拡張ＰＤＣＣＨ（ｅＰＤＣＣＨ））について監視する。
【００３８】
[0049]狭帯域ＵＥは、より広いシステム帯域幅内で（たとえば、１．４／３／５／１０／１５／２０ＭＨｚにおいて）共存しながら、利用可能なシステム帯域幅）から区分される１．４ＭＨｚまたは６つのリソースブロック（ＲＢ）の特定の狭帯域割当てに制限され得る。さらに、狭帯域ＵＥはまた、１つまたは複数のカバレージ動作モードをサポートすることが可能であり得る。たとえば、狭帯域ＵＥは、１５ｄＢまでのカバレージ拡張をサポートすることが可能であり得る。
【００３９】
[0050]本明細書で使用される、限られた通信リソース、たとえばより小さい帯域幅をもつデバイスは、一般に狭帯域ＵＥと呼ばれることがある。同様に、（たとえば、ＬＴＥにおける）レガシーおよび／または高度ＵＥなどのレガシーデバイスは、一般に広帯域ＵＥと呼ばれることがある。概して、広帯域ＵＥは、狭帯域ＵＥよりも大きい量の帯域幅上で動作することが可能である。
【００４０】
[0051]いくつかの場合には、ＵＥ（たとえば、狭帯域ＵＥまたは広帯域ＵＥ）は、ネットワークにおいて通信する前にセル探索および捕捉プロシージャを実行し得る。ある場合には、一例として図１に示されているＬＴＥネットワークに関して、ＵＥがＬＴＥセルに接続されておらず、ＬＴＥネットワークにアクセスすることを希望するとき、セル探索および収集プロシージャが実行され得る。これらの場合、ＵＥは、ちょうど電源投入した、ＬＴＥセルへの接続を一時的に失った後に接続を復元した、などであり得る。
【００４１】
[0052]他の場合には、ＵＥがＬＴＥセルにすでに接続されているとき、セル探索および収集プロシージャが実行され得る。たとえば、ＵＥは、新しいＬＴＥセルを検出していることがあり、新しいセルへのハンドオーバを準備し得る。別の例として、ＵＥは、１つまたは複数の低電力状態において動作していることがあり（たとえば、間欠受信（ＤＲＸ）をサポートし得）、１つまたは複数の低電力状態を出ると、（ＵＥがまだ接続モードにあるにもかかわらず）セル探索および収集プロシージャを実行しなければならないことがある。
【００４２】
[0053]図２は、図１中のＢＳ／ｅＮＢのうちの１つであり得るＢＳ／ｅＮＢ１１０および図１中のＵＥのうちの１つであり得るＵＥ１２０の設計のブロック図を示す。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００４３】
[0054]ＢＳ１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００４４】
[0055]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのために）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００４５】
[0056]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００４６】
[0057]コントローラ／プロセッサ２４０および２８０は、それぞれＢＳ１１０およびＵＥ１２０における動作を指示し得る。たとえば、ＵＥ１２０におけるコントローラ／プロセッサ２８０および／または他のプロセッサおよびモジュールは、図７に示されている動作７００、図１０に示されている動作１０００および／または本明細書で説明される技法のための他のプロセスを実行または指示し得る。ＢＳ１１０におけるコントローラ／プロセッサ２４０ならびに／または他のプロセッサおよびモジュールは、図６に示されている動作６００、図９に示されている動作９００および／または本明細書で説明される技法のための他のプロセスを実行または指示し得る。メモリ２４２および２８２は、それぞれＢＳ１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００４７】
[0058]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスが割り当てられ得る。
【００４８】
[0059]ＬＴＥでは、ｅＮＢは、ｅＮＢによってサポートされるセルごとにシステム帯域幅の中心においてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥによって使用され得、情報の中でも、複信モードの指示とともにセルＩＤを含んでいることがある。複信モードの指示は、セルが時分割複信（ＴＤＤ）フレーム構造を利用するのか周波数分割複信（ＦＤＤ）フレーム構造を利用するのかを示し得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中で送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中で、物理ダウンリンク制御チャネル（ＰＤＣＣＨ）上で制御情報／データを送信し得、ここで、Ｂは各サブフレームについて構成可能であり得る。ｅＮＢは、各サブフレームの残りのシンボル期間中で、ＰＤＳＣＨ上でトラフィックデータおよび／または他のデータを送信し得る。
【００４９】
[0060]チャネル品質測定が、定義されたスケジュールに従ってＵＥによって実行され得、そのようなスケジュールはＵＥのＤＲＸサイクルに基づく。たとえば、ＵＥは、あらゆるＤＲＸサイクルにおいてサービングセルのために測定を実行することを試み得る。ＵＥはまた、非サービングネイバリングセルのために測定を実行することを試み得る。非サービングネイバーセルのための測定は、サービングセルの場合とは異なるスケジュールに基づいて行われ得、ＵＥは、ＵＥが接続モードにあるとき、非サービングセルを測定するためにサービングセルから離調する必要があり得る。
【００５０】
[0061]チャネル品質測定を可能にするために、ｅＮＢが特定のサブフレーム上でセル固有基準信号（ＣＲＳ）を送信し得る。たとえば、ｅＮＢは、所与のフレームのためのサブフレーム０および５上でＣＲＳを送信し得る。狭帯域ＵＥは、この信号を受信し、受信された信号の平均電力、またはＲＳＲＰを測定し得る。狭帯域ＵＥはまた、すべてのソースからの総受信信号電力に基づいて受信信号強度インジケータ（ＲＳＳＩ：Receive Signal Strength Indicator）を計算し得る。また、ＲＳＲＱが、ＲＳＲＰとＲＳＳＩとに基づいて計算され得る。
【００５１】
[0062]測定を可能にするために、ｅＮＢは、それのカバレージエリア中のＵＥに測定構成を与え得る。測定構成は測定報告のためのイベントトリガを定義し得、各イベントトリガは、関連するパラメータを有し得る。ＵＥが、構成された測定イベントを検出したとき、ＵＥは、関連する測定対象に関する情報とともにｅＮＢに測定報告を送ることによって応答し得る。構成された測定イベントは、たとえば、測定された基準信号受信電力（ＲＳＲＰ：reference signal received power）または測定された基準信号受信品質（ＲＳＲＱ：reference signal received quality）がしきい値を満たすことであり得る。ＵＥがそれの測定報告を送る前に、測定イベントがどのくらい長く残存しなければならないかを定義するために、トリガ時間（ＴＴＴ：time-to-trigger）パラメータが使用され得る。このようにして、ＵＥは、それの無線状態の変化をネットワークにシグナリングすることができる。
【００５２】
[0063]図４は、ノーマルサイクリックプレフィックスをもつ２つの例示的なサブフレームフォーマット４１０および４２０を示す。利用可能な時間周波数リソースはリソースブロックに区分され得る。各リソースブロックは、１つのスロット中で１２個のサブキャリアをカバーし得、いくつかのリソース要素を含み得る。各リソース要素は、１つのシンボル期間中で１つのサブキャリアをカバーし得、実数値または複素数値であり得る１つの変調シンボルを送るために使用され得る。
【００５３】
[0064]サブフレームフォーマット４１０は、２つのアンテナのために使用され得る。ＣＲＳは、シンボル期間０、４、７および１１中でアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００５４】
[0065]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００５５】
[0066]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００５６】
[0067]ワイヤレスネットワークは、ダウンリンクおよびアップリンク上でのデータ送信のためにハイブリッド自動再送要求（ＨＡＲＱ）をサポートし得る。ＨＡＲＱの場合、送信機（たとえば、ｅＮＢ）は、パケットが受信機（たとえば、ＵＥ）によって正確に復号されるか、または何らかの他の終了条件が遭遇されるまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５７】
[0068]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ）、または何らかの他のメトリックによって定量化され得る。ＵＥは、ＵＥが１つまたは複数の干渉ｅＮＢからの高い干渉を観測し得る支配的干渉シナリオにおいて動作し得る。
【００５８】
例示的な狭帯域通信
[0069]旧来のＬＴＥ設計の焦点は、スペクトル効率の改善、ユビキタスカバレージ、および拡張サービス品質（ＱｏＳ）サポートに対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。
【００５９】
[0070]しかしながら、上記で説明されたように、ワイヤレス通信ネットワーク（たとえば、ワイヤレス通信ネットワーク１００）中の１つまたは複数のＵＥは、ワイヤレス通信ネットワーク中の他の（広帯域）デバイスと比較して、狭帯域ＵＥなど、限られた通信リソースを有するデバイスであり得る。狭帯域ＵＥでは、限られた量の情報のみが交換される必要があり得るので、様々な要件が緩和され得る。たとえば、（広帯域ＵＥに対して）最大帯域幅が低減され得、単一の受信無線周波数（ＲＦ）チェーンが使用され得、ピークレートが低減され得（たとえば、トランスポートブロックサイズのために最高１００ビット）、送信電力が低減され得、ランク１送信が使用され得、半二重動作が実行され得る。
【００６０】
[0071]ワイヤレス通信ネットワークは、異なる展開モードを用いて狭帯域動作（たとえば、ＭＴＣ／ｅＭＴＣ、狭帯域モノのインターネット（ＮＢ−ＩｏＴ））のための１８０ｋＨｚ展開をサポートし得る。一例では、狭帯域動作は、たとえば、より広いシステム帯域幅内のリソースブロックを使用して、帯域内で展開され得る。この展開では、狭帯域動作は、ある場合には、ＬＴＥネットワークのより広いシステム帯域幅内の１つのリソースブロックを使用し得る。そのような場合、リソースブロックのための１８０ｋＨｚ帯域幅が、広帯域ＬＴＥリソースブロックと整合されなければならないことがある。別の例では、狭帯域動作はスタンドアロン動作モードで展開され得る。この展開では、狭帯域通信は、１００ｋＨｚラスタ中のどこにでも配置され得る、ＧＳＭキャリアを再利用し得る。また別の例では、狭帯域動作は、ＬＴＥキャリアガードバンド内の未使用のリソースブロックにおいて展開され得る。この展開では、ガードバンド内の１８０ｋＨｚ  ＲＢは、たとえば、帯域内レガシーＬＴＥ通信に関して同じＦＦＴを使用し、および／または干渉を低減するために、広帯域ＬＴＥの１５ｋＨｚトーングリッドと整合されなければならないことがある。
【００６１】
[0072]ＮＢ−ＩｏＴのために１００ｋＨｚ周波数ラスタが考慮される。周波数（またはチャネル）ラスタは、概して、（たとえば、セルによって使用されるチャネルを探索するために）狭帯域またはＮＢ−ＩｏＴデバイスなどの通信デバイスによって使用され得るステップまたは周波数を指す。したがって、１００ｋＨｚチャネルラスタは、概して、狭帯域通信のために使用され得る中心周波数が１００ｋＨｚの倍数（たとえば、形式１００ｋＨｚ＊ｎの任意の周波数）であることを意味することになる。
【００６２】
[0073]しかしながら、１００ｋＨｚ周波数ラスタは、ＮＢ−ＩｏＴのための展開モードのうちのいくつかに適さないことがある。たとえば、１００ｋＨｚ周波数ラスタは、レガシーＬＴＥが１００ｋＨｚラスタに従うが、（たとえば、ＮＢ−ＩｏＴのための）ＲＢ構造が、ＤＣ（直流）サブキャリアにより１８０ｋＨｚのステップ＋７．５ｋＨｚオフセットを導入するので、帯域内展開に適さないことがある。図５は、１００ｋＨｚ周波数ラスタが１８０ｋＨｚリソースブロックとともに使用される、（ＲＢ５０２〜５１２をもつ）１つの例示的な６リソースブロックシステムを示す。図示のように、１／２サブキャリアＤＣシフトに部分的に起因して、ＲＢ５０２〜５１２のための中心周波数のいずれもラスタ周波数の倍数（たとえば、１００ｋＨｚ＊Ｎ）にない。むしろ、図示のように、帯域内およびガードバンドの場合、可能な周波数オフセットは±２．５ｋＨｚおよび±７．５ｋＨｚである。
【００６３】
[0074]しかしながら、中心ＲＢ周波数のいずれもラスタ周波数の倍数にないが、２つの中心ＲＢ５０６および５０８がラスタ周波数から２．５ｋＨｚ離れているので、ＵＥは、それらにロックオンし、２．５ｋＨｚ周波数オフセットを推定することが可能であり得る。ＵＥが、この状況において、正しい周波数オフセットを得ることが可能であり得るが、これらの周波数に同期することは、（たとえば、タイミングおよび周波数発振器が同じクロックを共有する場合）ＵＥのためのタイミングドリフトを作成し得る。
【００６４】
狭帯域動作のための例示的なチャネルラスタ設計
[0075]本開示の態様は、ＮＢ−ＩｏＴデバイスなど、システム帯域幅の相対狭帯域領域を使用して通信するデバイスによって検出され得る、チャネルのためのラスタ設計を提供する。特に、本明細書で提示される技法は、１つまたは複数の条件に基づいて、デバイス（たとえば、ＵＥ、ｅＮＢなど）が狭帯域通信のためのチャネルの厳密な（または正確な）周波数ロケーション（または位置）を決定することを可能にする。
【００６５】
[0076]図６は、本開示のいくつかの態様による、ワイヤレス通信のための例示的な動作６００を示す。動作６００は、たとえば、ＢＳ（たとえば、ｅＮＢ１１０）によって実行され得る。
【００６６】
[0077]動作６００は、６０２において、ＢＳが、１つまたは複数の条件に基づいて、ＵＥ（たとえば、ＵＥ１２０）との狭帯域通信を実行するために、１つまたは複数のチャネルのうちの１つのチャネルの厳密な周波数ロケーションを決定することによって開始する。６０４において、ＢＳは、１つまたは複数の条件の指示をＵＥに送信する。６０６において、ＢＳは、１つのチャネルの厳密な周波数ロケーションに少なくとも部分的に基づいてＵＥと通信する。
【００６７】
[0078]図７は、本開示のいくつかの態様による、ワイヤレス通信のための例示的な動作７００を示す。動作７００は、たとえば、ＵＥ（たとえば、ＵＥ１２０）によって実行され得る。
【００６８】
[0079]動作７００は、７０２において、ＵＥが、１つまたは複数のチャネルにおいてセル探索を実行することによって開始する。一態様では、ＵＥは、ラスタ周波数に基づいて１つまたは複数のチャネルにおいてセル探索を実行し得る。たとえば、ラスタ周波数が１００ｋＨｚである場合、ＵＥは、周波数、タイミング、および／またはシステム情報を収集するために、１００ｋＨｚごとにＰＳＳ／ＳＳＳを監視し得る。いくつかの場合には、ＵＥがセル探索を実行する、１つまたは複数のチャネルは、概算周波数推定値に基づき得る。７０４において、ＵＥは、セルが１つまたは複数のチャネルのうちの１つのチャネル中に存在すると決定する。７０６において、ＵＥは、１つまたは複数の条件に基づいて、セルの基地局との狭帯域通信のための１つのチャネルの厳密な（または正確な）周波数ロケーションを決定する。７０８において、ＵＥは、１つのチャネルの厳密な周波数ロケーションに少なくとも部分的に基づいて基地局と通信する。
【００６９】
[0080]いくつかの態様によれば、１つまたは複数の条件は所与の動作帯域幅を含み得る。この態様では、ＵＥおよび／またはＢＳは、狭帯域通信が所与の帯域幅について展開され得る、１つのアンカーチャネル（またはリソースブロック）ロケーションがあると決定し得る。決定されると、ＵＥおよび／またはＢＳは、所与の動作帯域幅に対応するアンカーチャネルを選択することによって、厳密な周波数ロケーションを決定し得る。このようにして、本明細書の技法は、セル探索のための仮説を実質的に低減することができる。
【００７０】
[0081]追加または代替として、いくつかの態様によれば、１つまたは複数の条件はセル識別子（ＩＤ）を含み得る。たとえば、ＵＥが（たとえば、ＰＳＳおよびＳＳＳから）セルＩＤを決定すると、ＵＥは、セルＩＤに部分的に基づいてアンカーチャネルロケーションを選択し得る。一実装形態では、ＵＥおよび／またはＢＳは、以下に従って正確なアンカーロケーションを決定し得る。
【００７１】
【数１】
2020058045.tif 000003
【００７２】
ここで、セルＩＤはＰＳＳおよびＳＳＳから決定され、ここにおいて、可能なＲＢの数はシステム帯域幅に基づき得る。たとえば、２０ＭＨｚのシステム帯域幅の場合、（ＲＢ０、ＲＢ１０、ＲＢ２０およびＲＢ４０などの）４つの可能なＲＢがあり得る。上式を使用することによって、ＵＥは、現在のセルによって使用されているアンカーＲＢを決定し得る。
【００７３】
[0082]いくつかの態様によれば、定義された２つ以上のアンカーＲＢがあり得る。これらの場合、ＵＥは、ラスタ周波数ロケーションにおいてまたはその近くで、アンカーチャネルのセットからアンカーＲＢロケーションを選択し得る。たとえば、ＵＥは、ＲＢの第１のサブセットを取得するために、ラスタ周波数の近くにあるＲＢを選択し得る。ＵＥは、次いで、ＲＢの第２のサブセットを取得するために、ＲＢの第１のサブセットを絞り込み選択し（down-select）得る。いくつかの場合には、ＵＥは、セルＩＤに基づいてＲＢの第１のサブセットを絞り込み選択し得る。いくつかの場合には、絞り込み選択は、（たとえば、ＬＴＥ仕様において定義されている）通信規格に従って決定され得る。ＵＥが第２のサブセットを取得すると、ＵＥは、ＢＳによって送信されたブロードキャストシグナリング（たとえば、ＭＩＢ／ＳＩＢ中の１つまたは複数のビットなど）から第２のサブセット中のどのＲＢが使用されているかを決定し得る。
【００７４】
[0083]いくつかの態様によれば、ネットワーク／ＢＳは、あらゆる動作帯域幅について１つの固定アンカーＲＢロケーションを使用すべきなのか、アンカーＲＢをそれのセルＩＤに基づかせるべきなのかを選定し得る。いくつかの場合には、ＢＳは、すべての狭帯域通信を同じ周波数において展開させるために、固定アンカーＲＢロケーションを使用することを決定し得る。いくつかの場合には、ＢＳは、セル間干渉を低減するために、セルＩＤに基づくアンカーＲＢを使用することを決定し得る。いずれの場合も、ＢＳは、（たとえば、ＢＳが、アンカーＲＢロケーションが固定ＲＢを使用することになると決定した場合）厳密な周波数ロケーションをＵＥに示すか、またはＵＥがセルＩＤに基づいて厳密な周波数ロケーションを決定すべきであることをＵＥに示し得る。そのような指示は、ブロードキャストシグナリング（たとえば、ＰＢＣＨ／ＭＩＢ中の１ビット）を介して与えられ得る。
【００７５】
[0084]いくつかの場合には、ＢＳは、ＢＳがどのようにアンカーＲＢロケーションを選択するかに関する指示をＵＥに送信（またはシグナリング）しないことがある。これらの場合、ＵＥは、どのＲＢがアンカーとして使用されるかを決定するために、異なるＲＢについて異なるＣＲＳシーケンスをブラインドで試すことができる。たとえば、ブラインド検出を実行するとき、ＵＥは、観測されたＣＲＳとの最良の相関を有するＲＢを選定し得る。
【００７６】
[0085]いくつかの態様によれば、１つまたは複数の条件は、狭帯域通信のための展開のタイプを含み得る。一態様では、展開のタイプは、ＢＳによって使用されるアンテナポートの数に基づき得る。ＢＳは、たとえば、レガシーＣＲＳアンテナポートの数に関する情報をＰＢＣＨ中に含め、ＰＢＣＨをＵＥに送信し得る。ある場合には、ＵＥが、アンテナポートの数が０よりも大きい（たとえば、１つのポート、２つのポート、または４つのポート）という指示を受信した場合、ＵＥは、狭帯域通信が帯域内で展開されていると決定し得る。ある場合には、ＵＥが、アンテナポートの数が０であるという指示を受信した場合、ＵＥは、狭帯域通信が（スタンドアロン展開のための）専用スペクトル中でまたはガードバンド中で展開されていると決定し得る。
【００７７】
[0086]いくつかの態様では、ＢＳは、ＰＢＣＨ中で送信されるマスタ情報ブロック（ＭＩＢ）を介して、１つまたは複数の条件の指示をシグナリングし得る。ＭＩＢは、たとえば、セルの帯域幅を示す３ビットフィールドを搬送し得るが、値のすべてが使用されるとは限らない。たとえば、いくつかの場合には、帯域幅を示すために６つの値のみが使用され得る。いくつかの態様によれば、ＭＩＢ中の３つのビットフィールドがどのように解釈されるかに基づいて、ＵＥおよび／またはＢＳは、セル中で展開される狭帯域通信に関する、異なるタイプの情報を決定し得る。
【００７８】
[0087]一態様では、ＢＳは、スタンドアロン展開を示す特定の帯域幅をシグナリングするために（ＭＩＢ中の３ビットフィールドの）６つの値の中から１つの追加の値を使用し得る。ある場合には、たとえば、ＢＳは、狭帯域通信のためのスタンドアロン展開を示すために、２００ｋＨｚに等しい帯域幅をシグナリングするために１つの追加の値を使用し得る。ガードバンドの場合、ＢＳは、対応するシステムの真の帯域幅値（たとえば、ＬＴＥについてのある場合には２０ＭＨｚ）を示すシグナリングをＵＥに与えることができる。ガードバンドロケーションがあらゆるリソースブロックについて固定される場合、ＵＥは、ＵＥがセルを収集する必要があるすべての情報を（シグナリングから）決定することが可能であろう。
【００７９】
[0088]別の態様では、ＢＳは、アンテナポートの数に基づいて異なるタイプの情報をシグナリングするために３ビットフィールドを使用し得る。今度は、ＵＥは、ＢＳによって別々にシグナリングされ得るアンテナポートの数に基づいて３ビットフィールドを別様に解釈することもある。たとえば、アンテナポートの数が０よりも大きい（したがって、帯域内を示す）場合、ＢＳは、帯域幅をシグナリングするために３ビットフィールドを使用し得、ＵＥは、（アンテナポートの数の指示に基づいて）そのフィールドが帯域幅をシグナリングすると決定し得る。この場合、ＵＥは、上記の技法のいずれかを使用して絶対周波数値（たとえば、アンカーＲＢ）を決定することが可能であり得る。一例では、アンテナポートの数が０に等しい（したがって、ガードバンドまたはスタンドアロンを示す）場合、ＢＳは、周波数グリッド（たとえば、１００ｋＨｚ周波数グリッド）に関する周波数オフセットを示すために３ビットフィールドを使用し得、ＵＥは、（アンテナポートの数の指示に基づいて）そのフィールドが周波数グリッドに関するオフセットをシグナリングすると決定し得る。たとえば、ＢＳは、−７．５、７．５、−２．５、２．５、および０の周波数オフセット値をシグナリングすることができる。この場合、０の周波数オフセットをシグナリングすることは、スタンドアロン展開を暗示し得るが、別の値をシグナリングすることは、ガードバンド展開を暗示し得る。
【００８０】
[0089]本明細書で提示される態様は、ＵＥが、周波数ロケーション（たとえば、アンカーＲＢ）および／または展開のタイプを決定するために使用し得る、（たとえば、アンテナポート、周波数オフセット、帯域幅などの）様々な情報をＢＳがＰＢＣＨ中でＵＥにシグナリングすることについて説明するが、そのような情報はまた、ＰＳＳ、ＳＳＳなど、他の信号、または（たとえば、ＰＳＳとＳＳＳとＭＩＢとＰＢＣＨと他の信号との間でスプリットされた）信号の組合せにおいて示され得ると留意されたい。
【００８１】
[0090]上述のように、帯域内展開の場合、ＵＥは、ＵＥがアンカーＲＢの指示に基づいて周波数オフセットを導出することができるので、周波数オフセットを示すシグナリングを受信しないことがある。
【００８２】
[0091]しかしながら、いくつかの態様によれば、ＢＳは、展開タイプにかかわらず、周波数グリッド（たとえば、１００ｋＨｚグリッド）に関する周波数オフセットを常にシグナリングするように構成され得る。したがって、狭帯域通信が帯域内で展開されている状況では、ＵＥは、どのＲＢが使用されているかを知らないことがあり、これは、ＵＥがＣＲＳを使用するのを妨げることがある。
【００８３】
[0092]したがって、いくつかの態様では、周波数オフセットの指示を受信した後に、ＵＥは、ＳＩＢを介して絶対ＲＢ位置の指示を受信し得る。いくつかの態様では、周波数オフセットの指示を受信した後に、ＵＥは、ＲＢオフセット＋アンカーＲＢの指示を受信し得る。一例では、ＢＳは、ＲＢオフセットの５つの候補をシグナリングし得、これは、±２．５、±７．５、および０を含み得る。一例では、ＢＳは、ＲＢオフセットの３つの候補をシグナリングし得、これは、＞０、＜０、または０を含み得る。
【００８４】
[0093]さらに、いくつかの態様では、展開タイプが（たとえば、ＢＳおよび／またはＵＥによって）知られている場合、ガードバンドオフセットは一定値に固定され得る。たとえば、狭帯域通信は、１００ｋＨｚラスタに関して７．５ｋＨｚの中心周波数をもつＲＢに固定され得る。したがって、ガードバンドは、物理リソースブロック境界と整合される必要がないことがあるが、同じＩＦＦＴを再利用するために、１５ｋＨｚ境界と整合されなければならないことがある。図８は、たとえば、周波数ラスタと整合させるために、１つまたは複数のガードトーンを残すことの（３リソースブロックシステムのための）一例を示す。
【００８５】
[0094]図８に示されているように、３つのＲＢ（たとえば、ＲＢ０、ＲＢ１、ＲＢ２）を含むシステム８００では、ガードバンドＲＢ８０２はＤＣ＋３６７．５ｋＨｚに配置される。この周波数がラスタ周波数の近くにない（たとえば、あるオフセット内にない）ので、第１のガードバンドＲＢ８０２は狭帯域通信のために使用されないことがある。したがって、本開示の態様は、ＢＳが、ガードバンドをラスタ周波数と整合させるために、１つまたは複数のガードトーンを配置することを可能にする。たとえば、同じく図８に示されているように、ガードバンドＲＢ８０４の場合、２つのトーン（ＲＥ）８０６および８０８（たとえば、３０ｋＨｚギャップ）は、中心周波数がＤＣ＋３９７．５ｋＨｚに配置されるように、ガードバンドＲＢ８０４中に配置される。この周波数がラスタ周波数の２．５ｋＨｚオフセット内に配置されるので、ＵＥは、たとえば、ＤＣ＋４００ｋＨｚを探索するときにその周波数を検出することができる。
【００８６】
[0095]いくつかの態様によれば、ＢＳは、ＵＥが（たとえば、１００ｋＨｚなどの）特定のラスタ周波数を探索しようとしていることを知っていることがある。したがって、これらの場合、ＢＳは、ＰＳＳおよびＳＳＳの送信をラスタ周波数と整合させるために、周波数シフトを適用し得る。たとえば、ＢＳは、ＰＳＳ／ＳＳＳから推定された周波数が真の周波数に一致するように、偽の周波数シフト（たとえば、±２．５ｋＨｚ、±７．５ｋＨｚ）を適用することができる。言い換えれば、ＢＳは、ラスタ周波数に（１つまたは複数の）同期信号の中心を置くことを試み得る。
【００８７】
[0096]いくつかの態様では、ＢＳが偽の周波数シフトを適用する場合、ＵＥは、ＰＢＣＨを復号するときに、偽の周波数シフト（たとえば、２．５ｋＨｚ、７．５ｋＨｚなど）に一致するように、ＰＢＣＨと、対応するＣＲＳとをシフトし得る。いくつかの態様では、ＢＳは、ＵＥがＰＢＣＨを復号する前に周波数シフトを補正することができるように、ＳＳＳ中でシフトをシグナリングし得る。
【００８８】
[0097]いくつかの場合には、ＲＢの小さいサブセットが、上記で説明された技法を使用して割り振られ得る。たとえば、１５ＲＢシステムの場合、ＲＢインデックス０はＤＣにあり得、ＲＢインデックス１は１８７．５ｋＨｚにあり得、ＲＢインデックス２は３６７．５ｋＨｚにあり得、ＲＢインデックス３は５４７．５ｋＨｚにあり得、ＲＢインデックス４は７２７．５ｋＨｚにあり得、ＲＢインデックス５は９０７．５ｋＨｚにあり、ＲＢインデックス６は１０８７．５ｋＨｚにあり、およびＲＢインデックス７は１２６７．５ｋＨｚにある。この場合、ＲＢインデックス５のみが、ＵＥによって検出されるべきラスタ周波数の十分近くに存在することになる。
【００８９】
[0098]いくつかの態様によれば、ＢＳは、ＰＳＳおよびＳＳＳの送信をラスタ周波数と整合させるために、トーンシフトを適用し得る。たとえば、トーンシフトは、ＵＥがＲＢのサブセット中の他の追加の周波数を検出することを可能にするために、ＰＳＳ／ＳＳＳに適用され得る。一態様では、±１ＲＥのトーンシフト（たとえば、１５ｋＨｚ）がＰＳＳ／ＳＳＳに適用され得る。たとえば、＋１５ｋＨｚのトーンシフトが上記のＲＢインデックスの各々に適用された場合、ＲＢインデックス１は、ＵＥによって検出されるべきラスタ周波数の十分近く（たとえば、ＲＢインデックス１＋１５ｋＨｚ＝２０２．５）に存在することになる。同様に、ＲＢインデックス６は、ＵＥによって検出されるべきラスタ周波数の十分近く（たとえば、ＲＢインデックス６＋１５ｋＨｚ＝１１０２．５）に存在することになる。
【００９０】
[0099]一態様では、ＵＥは、ＰＳＳおよびＳＳＳを復号することに基づいて、厳密な周波数ロケーションを決定し得る。一態様では、ＵＥは、トーンシフトを示すシグナリングを取得し得、ＰＢＣＨを復号するときに、シグナリングされたトーンシフトを使用し得る。たとえば、一実施形態では、ＵＥがＰＳＳおよびＳＳＳを復号した後に、ＵＥは、オフセットに関係するあいまいさを解決しなければならないことがあり、さもなければ、ＵＥは、レガシーＣＲＳの周りで正しくレートマッチングすることが可能でないことがある。いくつかの態様によれば、ＵＥは、そのようなあいまいさを解決するために、１つまたは複数のアクションをとり得る。一例では、ＵＥが、ＰＢＣＨを復号するときに、正しいＣＲＳパンクチャリングを知ることができるように、ＵＥは、ＳＳＳを介してトーンシフトの指示を受信し得る。一例では、ＵＥは、ＰＢＣＨ中でトーンシフトの指示を受信し得る。しかしながら、レガシーＣＲＳの位置を知ることなしにＰＢＣＨを復号可能にするために、ＵＥはレガシーＣＲＳパンクチャＰＢＣＨを有し得、狭帯域基準信号位置はオフセットを考慮に入れ得る。代替的に、トーンシフトを示すシグナリングを受信する代わりに、ＵＥは、異なる周波数オフセット仮説のための異なるブラインド復号試みを試し得る。
【００９１】
[0100]いくつかの態様によれば、ラスタ周波数は、システム帯域幅全体にわたってクラスタリングされ得る（たとえば、一様分布でないことがある）。たとえば、周波数は、形式｛Ｎ＊１００ｋＨｚ、Ｎ＊１００ｋＨｚ＋１０ｋＨｚ、Ｎ＊１００ｋＨｚ−１０ｋＨｚ｝のものであり得る。
【００９２】
[0101]いくつかの態様によれば、ＮＢ−ＩｏＴチャネルは、１００ｋＨｚラスタ周波数グリッドの近くにあるＲＢを使用して、帯域内で展開され得る。この場合、ｅＮＢは、ＲＢのサブセットのみがＮＢ−ＩｏＴ送信のために利用可能であり得るという制約に基づいて、周波数ロケーションをシグナリングし得る。
【００９３】
[0102]図９は、本開示のいくつかの態様による、ワイヤレス通信のための例示的な動作９００を示す。動作９００は、たとえば、ＢＳ（たとえば、ｅＮＢ１１０）によって実行され得る。
【００９４】
[0103]動作９００は、９０２において、ＢＳが、１つまたは複数のチャネルのうちのチャネルの周波数ロケーションと、アンテナポートの数と、ＢＳとの狭帯域通信のための展開モードとを示す情報を、ＵＥに送信することによって開始する。９０４において、ＢＳは、チャネルの周波数ロケーションと、アンテナポートの数と、展開モードとに少なくとも部分的に基づいて、ＵＥと通信する。
【００９５】
[0104]図１０は、本開示のいくつかの態様による、ワイヤレス通信のための例示的な動作１０００を示す。動作１０００は、たとえば、ＵＥ（たとえば、ＵＥ１２０）によって実行され得る。
【００９６】
[0105]動作１０００は、１００２において、ＵＥが、１つまたは複数のチャネルにおいてセル探索を実行することによって開始する。１００４において、ＵＥは、セルが１つまたは複数のチャネルのうちの１つのチャネル中に存在すると決定する。１００６において、ＵＥは、１つのチャネルの周波数ロケーションと、アンテナポートの数と、セルのＢＳとの狭帯域通信のための展開モードとを決定する。１００８において、ＵＥは、１つのチャネルの周波数ロケーションと、アンテナポートの数と、展開モードとに少なくとも部分的に基づいて、ＢＳと通信する。
【００９７】
[0106]いくつかの態様では、ＢＳは、ＭＩＢ中で、展開モード、１つのチャネルの周波数ロケーション（または位置）、ＣＲＳアンテナポートの数または同じセルＩＤインジケータ（same cell ID indicator）のうちの少なくとも１つをシグナリングし得る。たとえば、ＢＳは、情報をＵＥにシグナリングするために、ＭＩＢの１つまたは複数のフィールドを使用し得る。一態様では、アンテナポートの数は、ＭＩＢ中の第１のフィールドに少なくとも部分的に基づいて決定され得る。チャネルの周波数ロケーションは、ＭＩＢ中の第１のフィールドとＭＩＢ中の第２のフィールドとに部分的に基づいて決定され得る。展開モードは、ＭＩＢ中の第１のフィールドとＭＩＢ中の第２のフィールドとに部分的に基づいて決定され得る。
【００９８】
[0107]いくつかの場合には、１つのチャネルは、より広いシステム帯域幅の狭帯域領域中に位置し得、ＵＥは、ＢＳがそれの中に位置するセルのセルＩＤが、より広いシステム帯域幅を使用する広帯域セルのためのセルＩＤと同じであるかどうかを決定するために、同じセルＩＤインジケータを使用し得る。ＬＴＥを基準例として使用すると、ＵＥは、ＮＢ−ＩｏＴのためのセルＩＤが広帯域ＬＴＥのセルと同じであるかどうかを決定するために、同じセルＩＤインジケータを使用し得る。
【００９９】
[0108]上述のように、ＭＩＢは、ＣＲＳアンテナポートの数を示すための第１のフィールドを含み得る。いくつかの場合には、ＣＲＳアンテナポートの数は、０、１、２または４のうちの１つであり得る。上述のように、そのような場合、０個のＣＲＳアンテナポートをシグナリングすることは、展開がスタンドアロンまたはガードバンドであると解釈され得、ＣＲＳポートの（たとえば、０よりも大きい）正数をシグナリングすることは、帯域内展開として解釈され得る。
【０１００】
[0109]一態様では、ＭＩＢは、同じ／異なる物理セルＩＤ（ＰＣＩＤ：physical cell ID）を示すための第２のフィールドを含み得、帯域幅および／または展開モードを示すための第３のフィールドを含み得る。たとえば、第２のフィールドは、ＰＣＩＤが同じである（たとえば、１）のか、異なる（たとえば、０）のかを示す、１ビットであり得る。第３のフィールドは複数のビットを含み得、それの意味はＣＲＳアンテナポートの数に依存し得る。たとえば、ＣＲＳアンテナポートの数が０である場合、この第３のフィールドは、ラスタ周波数（たとえば、１００ｋＨｚの倍数）に関するオフセットを｛−７．５、−２．５、０、２．５、７．５｝としてシグナリングし得、０のオフセットはスタンドアロン展開を意味し、他のオフセット値はガードバンド展開に対応する。ＣＲＳアンテナポートの数が１である場合、第３のフィールドは、中心周波数に関するリソースブロックのオフセットをシグナリングし得る。
【０１０１】
[0110]いくつかの態様では、チャネルの周波数ロケーションを決定することは、ＭＩＢ中の第２のフィールドに部分的に基づいてラスタ周波数に関する周波数オフセットを決定することと、周波数オフセットに部分的に基づいて周波数位置を決定することとを含み得る。いくつかの態様では、チャネルの周波数ロケーションを決定することは、ＭＩＢ中の第２のフィールドに基づいて広帯域セルの中心周波数に関する物理リソースブロック（ＰＲＢ）位置を決定することと、ＰＲＢ位置に部分的に基づいて周波数ロケーションを決定することとを含み得る。
【０１０２】
[0111]たとえば、ＭＩＢ中の第２のフィールドは、同じ／異なるＰＣＩＤと周波数／展開モードとを一緒に示すために使用され得る。ＣＲＳポートの数が０である場合、第２のフィールドは、上記のように、ラスタ周波数に関するオフセットを示し得る。ＣＲＳポートの数が０よりも大きい場合、ＰＣＩＤが異なること＋ラスタ周波数に関する可能なオフセット（たとえば、上述の５つのオフセット）をシグナリングするために、第２のフィールド中のエントリの第１のサブセットが予約され得る。ＰＣＩＤが同じであることをシグナリングするために、第２のフィールド中のエントリの第２のサブセットが予約され得、第２のサブセット中のエントリの各々は、ＰＲＢロケーション（または位置）および／または帯域幅値をシグナリングし得る。
【０１０３】
[0112]一態様では、展開が無認可スペクトルにおけるものであると決定するための追加の指示が、ＭＩＢ中に含まれ得る。
【０１０４】
[0113]いくつかの態様によれば、同じセル中でマシンタイプ通信（たとえば、拡張または発展型ＭＴＣ（ｅＭＴＣ））と狭帯域通信（たとえば、ＮＢ−ＩｏＴ）とを展開することが望ましいことがある。しかしながら、そのような展開は、ブロードキャストシグナリングの送信（たとえば、ＳＩＢ１ｂｉｓ送信）についての現在の協定では可能でないことがある。
【０１０５】
[0114]たとえば、ＳＩＢ１は、以下の協定に従ってホッピングされ得る。ＳＩＢ１ｂｉｓのための周波数ホッピングが、少なくとも、５ＭＨｚよりも大きいかまたはそれに等しいシステム帯域幅のために使用され得る。ＳＩＢ１ｓ周波数ホッピングが、システム帯域幅に応じて２つまたは４つの狭帯域間で行われ得る。たとえば、１２〜５０個のＲＢのシステム帯域幅のために２つの狭帯域があり得、５１〜１１０個のＲＢのシステム帯域幅のために４つの狭帯域があり得る。狭帯域は、セルＩＤとシステム帯域幅とに基づいて決定され得る。これらの狭帯域間のホッピングシーケンスは、セルＩＤおよびサブフレームインデックス（および／またはシステムフレーム番号（ＳＦＮ：system frame number））に基づいて決定され得る。
【０１０６】
[0115]ＳＩＢ１ｂｉｓのための周波数ホッピングは、以下によって与えられ得る。
【０１０７】
【数２】
2020058045.tif 000004
【０１０８】
[0116]ここで、Ｓは有効ＤＬ狭帯域ｓのセットであり、ｋは、ＳＩＢ１ｂｉｓのための有効狭帯域の数に等しい。１２個未満のＲＢのシステム帯域幅の場合、ＳＩＢ１ｂｉｓは狭帯域ｓj中で送信され得、ここで、ｊは物理セル識別子（ＰＣＩＤ）  ｍｏｄ  ｋに等しい。１２個のＲＢ〜５０個のＲＢの間のシステム帯域幅の場合、第１の狭帯域はｓjであり得、ここで、ｊ＝ＰＣＩＤ  ｍｏｄ  ｋであり、第２の狭帯域は（ｓj＋ｆｌｏｏｒ（ｋ／２））  ｍｏｄ  ｋであり得、ＳＩＢ１ｂｉｓ送信は、ＳＦＮ  ｍｏｄ  ８＝０において開始する｛第１のＮＢ、第２のＮＢ｝を循環し得る。５１個のＲＢ〜１１０個のＲＢの間のシステム帯域幅の場合、第１の狭帯域はｓjであり得、ここで、ｊ＝ＰＣＩＤ  ｍｏｄ  ｋであり、第２の狭帯域は（ｓj＋ｆｌｏｏｒ（ｋ／４））  ｍｏｄ  ｋであり得、第３の狭帯域は（ｓj＋２＊ｆｌｏｏｒ（ｋ／４））  ｍｏｄ  ｋであり得、第４の狭帯域は（ｓj＋３＊ｆｌｏｏｒ（ｋ／４））  ｍｏｄ  ｋであり得、ＳＩＢ１ｂｉｓ送信は、ＳＦＮ  ｍｏｄ  ８＝０において開始する｛第１のＮＢ、第２のＮＢ、第３のＮＢ、第４のＮＢ｝を循環し得る。さらに、ＳＩＢ１ｂｉｓ送信は、５つのスペアビットをもつＭＩＢ中でスケジュールされ得る。ＳＩＢ１ｂｉｓ送信のＴＢＳおよび繰返しは、図１１に示されているテーブルから決定され得る。
【０１０９】
[0117]本明細書で提示される態様は、同じセル中で、たとえば、ｅＭＴＣおよびＮＢ−ＩｏＴを展開することを可能にする技法を提供する。
【０１１０】
[0118]態様によれば、ｅノードＢは、セル内でのｅＭＴＣ動作および狭帯域通信の展開の特定の実装形態を決定し得る。これらの場合、ｅＭＴＣ動作に変化がないことがある。ある場合には、たとえば、ｅノードＢは、ＳＩＢ１ｂｉｓを含んでいるサブフレームを、ＮＢ−ＩｏＴ無効サブフレームとしてシグナリングし得る。このシグナリングはＲＢ固有であり得る。言い換えれば、異なるＲＢは、異なるサブフレーム利用可能性を有し得、ＳＩＢ１ｂｉｓ送信をもつＲＢおよびサブフレームは、無効としてシグナリングされ得る。
【０１１１】
[0119]追加または代替として、別の場合には、ｅノードＢは、同じセル中でのｅＭＴＣ動作および狭帯域通信の展開を可能にするために、ブルートフォース（brute force）パンクチャリングを使用し得る。たとえば、ｅノードＢは、ＮＢ−ＩｏＴ  ＲＢの送信によってＳＩＢ１ｂｉｓをパンクチャし得る。いくつかの場合には、ｅノードＢは、ｅＭＴＣ  ＵＥがＳＩＢ１ｂｉｓを読み取ることに対する劣化を回避することが可能な最小量のリソースを使用し得る。
【０１１２】
[0120]いくつかの態様によれば、同じセル中でのｅＭＴＣおよび狭帯域通信の展開は、ＳＩＢ１ｂｉｓのための狭帯域を再定義することによって可能であり得る。たとえば、ＳＩＢ１ｂｉｓ狭帯域ｓの（式２に示されている）セットＳは、すでに、中心の６つのＲＢを除外する。したがって、一態様では、ＳＩＢ１ｂｉｓのための狭帯域を再定義することは、ＮＢ−ＩｏＴアンカーＲＢを含んでいることがある、セットＳの少なくとも１つのサブセット（ｓi）を削除することを含み得、ここで、ｉは０からｋ−１までである。たとえば、ｓ0（ここで、ｉ＝０）がＮＢ−ＩｏＴ  ＲＢを含んでいる場合、ｓ0は（式２に示されている）セットＳから削除され得る。いくつかの場合には、サブセットｓiの削除はＰＣＩＤ固有であり得る（たとえば、異なるＰＣＩＤは異なるセットを有し得る）。
【０１１３】
[0121]一態様では、ＳＩＢ１ｂｉｓのための狭帯域を再定義することは、ＳＩＢ１ｂｉｓ組合せのサブセットのためのサブセットｓiを削除することを含み得る。たとえば、新しいエントリが、（図１２に示されているテーブルなどの）ＳＩＢ１ｂｉｓテーブルに導入され得、セットＳから削除され得るサブセットｓｉは、テーブル中のエントリに従って行われ得る。
【０１１４】
[0122]追加または代替として、いくつかの態様によれば、同じセル中でのｅＭＴＣおよび狭帯域通信の展開は、ＳＩＢ１ｂｉｓに基づいてＮＢ−ＩｏＴ物理リソースブロックを調整することによって可能であり得る。上述のように、ＮＢ−ＩｏＴ  ＲＢ（アンカーチャネルロケーション）がセルＩＤに依存するいくつかの場合があり得る。たとえば、上述のように、アンカーＲＢロケーションは、式１を使用して決定され得る。上述の別の例では、定義された２つ以上のアンカーＲＢがあり得、ＵＥは、セルＩＤに基づいてアンカーＲＢロケーションから絞り込み選択し得る。
【０１１５】
[0123]これらの場合、いくつかの態様によれば、絞り込み選択は、以下のようにＰＣＩＤに基づき得、すなわち、（ＰＣＩＤに基づいて）ＳＩＢ１ｂｉｓ  ｅＭＴＣのために使用されるＲＢは廃棄され得、残りのＲＢは、たとえば、説明された技法を使用して、必要な場合、さらに絞り込み選択され得る。
【０１１６】
[0124]いくつかの態様によれば、同じセル中でのｅＭＴＣおよび狭帯域通信の展開は、図１２に示されているテーブルの組合せを使用して、およびＳＩＢ１ｂｉｓに基づいてＮＢ−ＩｏＴ  ＲＢを調整して、可能であり得る。たとえば、ＮＢ−ＩｏＴを削除しない（たとえば、図１２中の）新しいＳＩＢ１ｂｉｓテーブル中のエントリがある場合、（これらのエントリのための）狭帯域ＲＢはＳＩＢ１ｂｉｓに基づいて調整され得る。
【０１１７】
[0125]本明細書で使用される「識別すること」という用語は、多種多様なアクションを包含する。たとえば、「識別すること」は、計算すること、算出すること、処理すること、導出すること、調査すること、ルックアップすること（たとえば、テーブル、データベースまたは別のデータ構造においてルックアップすること）、確認することなどを含み得る。また、「識別すること」は、受信すること（たとえば、情報を受信すること）、アクセスすること（たとえば、メモリ中のデータにアクセスすること）などを含み得る。また、「識別すること」は、解決すること、選択すること、選定すること、確立することなどを含み得る。
【０１１８】
[0126]いくつかの場合には、フレームを実際に通信するのではなく、デバイスは、送信または受信のためにフレームを通信するためのインターフェースを有し得る。たとえば、プロセッサは、バスインターフェースを介して、送信のためにＲＦフロントエンドにフレームを出力し得る。同様に、フレームを実際に受信するのではなく、デバイスは、別のデバイスから受信されたフレームを取得するためのインターフェースを有し得る。たとえば、プロセッサは、バスインターフェースを介して、送信のためにＲＦフロントエンドからフレームを取得（または受信）し得る。
【０１１９】
[0127]本明細書で開示される方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１２０】
[0128]上記で説明された方法の様々な動作は、対応する機能を実行することが可能な任意の好適な手段によって実行され得る。それらの手段は、限定はしないが、回路、特定用途向け集積回路（ＡＳＩＣ）、プロセッサ、または処理システムを含む、様々な（１つまたは複数の）ハードウェアおよび／またはソフトウェア構成要素および／またはモジュールを含み得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアを含む。１つまたは複数の構成要素および／またはモジュールがソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。概して、図に示されている動作がある場合、それらの動作は、任意の好適な対応するカウンターパートのミーンズプラスファンクション構成要素によって実行され得る。
【０１２１】
[0129]たとえば、受信する手段、監視するための手段、および／または通信するための手段は、図２に示されている基地局１１０の受信プロセッサ２３８、ＭＩＭＯ検出器２３６、（１つまたは複数の）復調器２３２ａ〜２３２ｔ、および／または（１つまたは複数の）アンテナ２３４ａ〜２３４ｔ、ならびに／あるいは、図２に示されているユーザ機器１２０のＭＩＭＯ検出器２５６、受信プロセッサ２５８、（１つまたは複数の）復調器２５４ａ〜２５４ｒ、および／または（１つまたは複数の）アンテナ２５２ａ〜２５２ｒなど、受信機を含み得る。決定するための手段、生成するための手段、監視するための手段、復号するための手段、示すための手段、送信するための手段、通信するための手段、シグナリングするための手段、選択するための手段、および／または実行するための手段は、図２に示されている基地局１１０のコントローラ／プロセッサ２４０、スケジューラ２４６、送信機プロセッサ２２０、受信プロセッサ２３８、ＭＩＭＯ検出器２３６、ＴＸ  ＭＩＭＯプロセッサ２３０、および／または（１つまたは複数の）変調器／（１つまたは複数の）復調器２３２ａ〜２３２ｔ、ならびに／あるいは、図２に示されているユーザ機器１２０のコントローラ／プロセッサ２８０、受信プロセッサ２５８、送信プロセッサ２６４、ＭＩＭＯ検出器２５６、ＴＸ  ＭＩＭＯプロセッサ２６６、および／または（１つまたは複数の）変調器／（１つまたは複数の）復調器２５４ａ〜２５４ｒなど、１つまたは複数のプロセッサ（または処理システム）を含み得る。シグナリングするための手段、送信するための手段、通信するための手段および／または示すための手段は、図２に示されている基地局１１０の送信プロセッサ２２０、ＴＸ  ＭＩＭＯプロセッサ２３０、（１つまたは複数の）変調器２３２ａ〜２３２ｔ、および／または（１つまたは複数の）アンテナ２３４ａ〜２３４ｔ、ならびに／あるいは、図２に示されているユーザ機器１２０の送信プロセッサ２６４、ＴＸ  ＭＩＭＯプロセッサ２６６、（１つまたは複数の）変調器２５４ａ〜２５４ｒ、および／または（１つまたは複数の）アンテナ２５２ａ〜２５２ｒなど、送信機を含み得る。
【０１２２】
[0130]情報および信号は、様々な異なる技術および技法のいずれかを使用して表され得ることを、当業者は理解するであろう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【０１２３】
[0131]さらに、本明細書の開示に関して説明された様々な例示的な論理ブロック、モジュール、回路、およびアルゴリズムステップは、電子ハードウェア、ソフトウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能性がハードウェアとして実装されるか、またはソフトウェアとして実装されるかは、システム全体に課される特定の適用例および設計制約に依存する。当業者は、説明された機能を特定の適用例ごとに様々な方法で実装し得るが、そのような実装の決定は、本開示の範囲からの逸脱を生じるものと解釈されるべきではない。
【０１２４】
[0132]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、たとえば、任意の従来のプロセッサ、コントローラ、マイクロコントローラ、ＦＰＧＡ、ＰＬＤ、ＤＳＰ、状態機械などであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１２５】
[0133]本明細書の開示に関して説明された方法またはアルゴリズムのステップは、直接ハードウェアで実施されるか、プロセッサによって実行されるソフトウェアモジュールで実施されるか、またはそれらの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１２６】
[0134]１つまたは複数の例示的な設計では、説明された機能は、ハードウェア、ソフトウェア、またはそれらの組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１２７】
[0135]本明細書で使用される場合、単数形の要素への言及は、そのように明記されていない限り、「唯一無二の」を意味するものではなく、「１つまたは複数の」を意味するものである。たとえば、本出願と添付の特許請求の範囲とで使用される冠詞「ａ」および「ａｎ」は、別段に規定されていない限り、または単数形を対象とすることが文脈から明らかでない限り、概して「１つまたは複数」を意味するものと解釈されるべきである。別段に明記されていない限り、「いくつか（some）」という用語は１つまたは複数を指す。本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（「ＡＢＣ」はＡおよびＢおよびＣを示す）、ならびに複数の同じ要素をもつ任意の組合せ（たとえば、ＡＡ、ＡＡＡ、ＡＢＢ、ＡＡＣ、ＡＢＢＣＣ、またはＡ、Ｂ、Ｃの任意の他の順序）を意味するような選言的列挙を示す。
【０１２８】
[0136]本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2020058045.tif 000005
【図２】
2020058045.tif 000006
【図３】
2020058045.tif 000007
【図４】
2020058045.tif 000008
【図５】
2020058045.tif 000009
【図６】
2020058045.tif 000010
【図７】
2020058045.tif 000011
【図８】
2020058045.tif 000012
【図９】
2020058045.tif 000013
【図１０】
2020058045.tif 000014
【図１１】
2020058045.tif 000015
【図１２】
2020058045.tif 000016
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を備える、方法。
【請求項２】
前記１つまたは複数の条件は、前記厳密な周波数ロケーションが、拡張マシンタイプ通信（ｅＭＴＣ）のためのシステム情報ブロック（ＳＩＢ）を送信するために利用可能な狭帯域と一致するかどうかを備える、請求項１に記載の方法。
【請求項３】
ｅＭＴＣのためのＳＩＢを送信するために利用可能な狭帯域のセットが、所与の動作帯域幅のためのアンカーチャネルロケーションとして利用可能な１つまたは複数の狭帯域だけ低減される、請求項２に記載の方法。
【請求項４】
前記１つまたは複数の条件が前記ＵＥの動作帯域幅を備え、
前記厳密な周波数ロケーションを決定することが、前記所与の動作帯域幅のためのアンカーチャネルロケーションを選択することを備える、
請求項１に記載の方法。
【請求項５】
前記１つまたは複数のチャネルの数がセル識別子（ＩＤ）に基づく、請求項１に記載の方法。
【請求項６】
前記厳密な周波数ロケーションの指示を前記ＵＥにシグナリングすること
をさらに備える、請求項１に記載の方法。
【請求項７】
前記指示が、周波数グリッドに関する周波数オフセットを備える、請求項６に記載の方法。
【請求項８】
前記指示が、マスタ情報ブロック（ＭＩＢ）、１次同期信号（ＰＳＳ）、２次同期信号（ＳＳＳ）、または物理ダウンリンクブロードキャストチャネル（ＰＢＣＨ）のうちの少なくとも１つにおいて与えられる、請求項６に記載の方法。
【請求項９】
前記１つまたは複数の条件が、前記狭帯域通信のための展開のタイプを伴う、請求項１に記載の方法。
【請求項１０】
前記１つまたは複数の条件の前記指示を送信することが、展開の前記タイプを示すために、セル固有基準信号（ＣＲＳ）のために使用されるアンテナポートの数をシグナリングすることを備える、請求項９に記載の方法。
【請求項１１】
マスタ情報ブロック（ＭＩＢ）中の１つまたは複数のビットを生成すること、ここにおいて、前記１つまたは複数のビットが、動作帯域幅、または周波数グリッドに関する周波数オフセットを示す、
をさらに備え、
ここにおいて、前記１つまたは複数の条件が、前記ＭＩＢ中の前記１つまたは複数のビットを備える、
請求項９に記載の方法。
【請求項１２】
前記１つまたは複数のチャネルの周波数ロケーションが、ラスタ周波数ロケーションに対応し、ここにおいて、前記ラスタ周波数ロケーションが不均一に分散される、請求項１に記載の方法。
【請求項１３】
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を行うように構成された少なくとも１つのプロセッサと、
前記少なくとも１つのプロセッサに結合されたメモリと
を備える、装置。
【請求項１４】
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定するための手段と、
前記１つまたは複数の条件の指示を前記ＵＥに送信するための手段と、
前記１つのチャネルの前記厳密な周波数ロケーションに少なくとも部分的に基づいて、前記ＵＥと通信するための手段と
を備える、装置。
【請求項１５】
基地局（ＢＳ）によるワイヤレス通信のためのコンピュータ可読媒体であって、前記コンピュータ可読媒体が、
１つまたは複数の条件に基づいて、ユーザ機器（ＵＥ）との狭帯域通信を実行するために、１つまたは複数のチャネルのうちの１つのチャネルの厳密な周波数ロケーションを決定するためのコードと、
前記１つまたは複数の条件の指示を前記ＵＥに送信するためのコードと、
前記１つのチャネルの前記厳密な周波数ロケーションに少なくとも部分的に基づいて、前記ＵＥと通信するためのコードと
を備える、コンピュータ実行可能コードを記憶した、コンピュータ可読媒体。
【手続補正２】
【補正対象書類名】明細書
【補正対象項目名】０１２８
【補正方法】変更
【補正の内容】
【０１２８】
[0136]本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
基地局（ＢＳ）によるワイヤレス通信のための方法であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を備える、方法。
［Ｃ２］
前記１つまたは複数の条件は、前記厳密な周波数ロケーションが、拡張マシンタイプ通信（ｅＭＴＣ）のためのシステム情報ブロック（ＳＩＢ）を送信するために利用可能な狭帯域と一致するかどうかを備える、Ｃ１に記載の方法。
［Ｃ３］
ｅＭＴＣのためのＳＩＢを送信するために利用可能な狭帯域のセットが、所与の動作帯域幅のためのアンカーチャネルロケーションとして利用可能な１つまたは複数の狭帯域だけ低減される、Ｃ２に記載の方法。
［Ｃ４］
前記１つまたは複数の条件が前記ＵＥの動作帯域幅を備え、
前記厳密な周波数ロケーションを決定することが、前記所与の動作帯域幅のためのアンカーチャネルロケーションを選択することを備える、
Ｃ１に記載の方法。
［Ｃ５］
前記１つまたは複数のチャネルの数がセル識別子（ＩＤ）に基づく、Ｃ１に記載の方法。
［Ｃ６］
前記厳密な周波数ロケーションの指示を前記ＵＥにシグナリングすること
をさらに備える、Ｃ１に記載の方法。
［Ｃ７］
前記指示が、周波数グリッドに関する周波数オフセットを備える、Ｃ６に記載の方法。
［Ｃ８］
前記指示が、マスタ情報ブロック（ＭＩＢ）、１次同期信号（ＰＳＳ）、２次同期信号（ＳＳＳ）、または物理ダウンリンクブロードキャストチャネル（ＰＢＣＨ）のうちの少なくとも１つにおいて与えられる、Ｃ６に記載の方法。
［Ｃ９］
前記１つまたは複数の条件が、前記狭帯域通信のための展開のタイプを伴う、Ｃ１に記載の方法。
［Ｃ１０］
前記１つまたは複数の条件の前記指示を送信することが、展開の前記タイプを示すために、セル固有基準信号（ＣＲＳ）のために使用されるアンテナポートの数をシグナリングすることを備える、Ｃ９に記載の方法。
［Ｃ１１］
マスタ情報ブロック（ＭＩＢ）中の１つまたは複数のビットを生成すること、ここにおいて、前記１つまたは複数のビットが、動作帯域幅、または周波数グリッドに関する周波数オフセットを示す、
をさらに備え、
ここにおいて、前記１つまたは複数の条件が、前記ＭＩＢ中の前記１つまたは複数のビットを備える、
Ｃ９に記載の方法。
［Ｃ１２］
前記１つまたは複数のチャネルの周波数ロケーションが、ラスタ周波数ロケーションに対応し、ここにおいて、前記ラスタ周波数ロケーションが不均一に分散される、Ｃ１に記載の方法。
［Ｃ１３］
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定することと、
前記１つまたは複数の条件の指示を前記ＵＥに送信することと、
前記１つのチャネルの前記厳密な周波数ロケーションに少なくとも部分的に基づいて、前記ＵＥと通信することと
を行うように構成された少なくとも１つのプロセッサと、
前記少なくとも１つのプロセッサに結合されたメモリと
を備える、装置。
［Ｃ１４］
ワイヤレス通信のための装置であって、
１つまたは複数の条件に基づいて、ユーザ機器（ＵＥ）との狭帯域通信を実行するために、１つまたは複数のチャネルのうちの１つのチャネルの厳密な周波数ロケーションを決定するための手段と、
前記１つまたは複数の条件の指示を前記ＵＥに送信するための手段と、
前記１つのチャネルの前記厳密な周波数ロケーションに少なくとも部分的に基づいて、前記ＵＥと通信するための手段と
を備える、装置。
［Ｃ１５］
基地局（ＢＳ）によるワイヤレス通信のためのコンピュータ可読媒体であって、前記コンピュータ可読媒体が、
１つまたは複数の条件に基づいて、ユーザ機器（ＵＥ）との狭帯域通信を実行するために、１つまたは複数のチャネルのうちの１つのチャネルの厳密な周波数ロケーションを決定するためのコードと、
前記１つまたは複数の条件の指示を前記ＵＥに送信するためのコードと、
前記１つのチャネルの前記厳密な周波数ロケーションに少なくとも部分的に基づいて、前記ＵＥと通信するためのコードと
を備える、コンピュータ実行可能コードを記憶した、コンピュータ可読媒体。
［Ｃ１６］
ユーザ機器（ＵＥ）によるワイヤレス通信のための方法であって、
１つまたは複数のチャネルにおいてセル探索を実行することと、
セルが前記１つまたは複数のチャネルのうちの１つのチャネル中に存在すると決定することと、
前記１つのチャネルの周波数ロケーションと、アンテナポートの数と、前記セルの基地局との狭帯域通信のための展開モードとを決定することと、
前記１つのチャネルの前記周波数ロケーションと、アンテナポートの前記数と、前記展開モードとに少なくとも部分的に基づいて、前記基地局と通信することと
を備える、方法。
［Ｃ１７］
前記１つのチャネルの前記周波数ロケーションと、アンテナポートの前記数と、前記展開モードとを決定することが、
マスタ情報ブロック（ＭＩＢ）を受信することと、
前記ＭＩＢ中の第１のフィールドに少なくとも部分的に基づいて、アンテナポートの前記数を決定することと、
前記ＭＩＢ中の前記第１のフィールドと前記ＭＩＢ中の第２のフィールドとに少なくとも部分的に基づいて、前記周波数ロケーションを決定することと、
前記ＭＩＢ中の前記第１のフィールドと前記ＭＩＢ中の前記第２のフィールドとに少なくとも部分的に基づいて、前記展開モードを決定することと
を備える、Ｃ１６に記載の方法。
［Ｃ１８］
前記１つのチャネルの前記周波数ロケーションを前記決定することが、
マスタ情報ブロック（ＭＩＢ）を受信することと、
前記ＭＩＢ中の第２のフィールドに基づいて、広帯域セルの中心周波数に対する物理リソースブロック（ＰＲＢ）位置を決定することと、
前記ＰＲＢ位置に少なくとも部分的に基づいて、前記１つのチャネルの前記周波数ロケーションを決定することと
を備える、Ｃ１６に記載の方法。
［Ｃ１９］
前記１つのチャネルが、より広いシステム帯域幅の狭帯域領域中にあり、
前記方法は、前記セルのためのセル識別子（ＩＤ）が、前記より広いシステム帯域幅を使用する広帯域セルのためのセルＩＤと同じであると決定することをさらに備える、
Ｃ１６に記載の方法。
［Ｃ２０］
前記セルが無認可スペクトル中にあるという指示を受信することをさらに備える、Ｃ１６に記載の方法。
［Ｃ２１］
前記指示が、マスタ情報ブロック（ＭＩＢ）または物理ブロードキャストチャネル（ＰＢＣＨ）のうちの少なくとも１つにおいて受信される、Ｃ２０に記載の方法。
［Ｃ２２］
ワイヤレス通信のための装置であって、
１つまたは複数のチャネルにおいてセル探索を実行することと、
セルが前記１つまたは複数のチャネルのうちの１つのチャネル中に存在すると決定することと、
前記１つのチャネルの周波数ロケーションと、アンテナポートの数と、前記セルの基地局との狭帯域通信のための展開モードとを決定することと、
前記１つのチャネルの前記周波数ロケーションと、アンテナポートの前記数と、前記展開モードとに少なくとも部分的に基づいて、前記基地局と通信することと
を行うように構成された少なくとも１つのプロセッサと、
前記少なくとも１つのプロセッサに結合されたメモリと
を備える、装置。
［Ｃ２３］
ワイヤレス通信のための装置であって、
１つまたは複数のチャネルにおいてセル探索を実行するための手段と、
セルが前記１つまたは複数のチャネルのうちの１つのチャネル中に存在すると決定するための手段と、
前記１つのチャネルの周波数ロケーションと、アンテナポートの数と、前記セルの基地局との狭帯域通信のための展開モードとを決定するための手段と、
前記１つのチャネルの前記周波数ロケーションと、アンテナポートの前記数と、前記展開モードとに少なくとも部分的に基づいて、前記基地局と通信するための手段と
を備える、装置。
［Ｃ２４］
ユーザ機器（ＵＥ）によるワイヤレス通信のためのコンピュータ可読媒体であって、前記コンピュータ可読媒体が、
１つまたは複数のチャネルにおいてセル探索を実行するためのコードと、
セルが前記１つまたは複数のチャネルのうちの１つのチャネル中に存在すると決定するためのコードと、
前記１つのチャネルの周波数ロケーションと、アンテナポートの数と、前記セルの基地局との狭帯域通信のための展開モードとを決定するためのコードと、
前記１つのチャネルの前記周波数ロケーションと、アンテナポートの前記数と、前記展開モードとに少なくとも部分的に基づいて、前記基地局と通信するためのコードと
を備える、コンピュータ実行可能コードを記憶した、コンピュータ可読媒体。
［Ｃ２５］
基地局（ＢＳ）によるワイヤレス通信のための方法であって、
１つまたは複数のチャネルのうちのチャネルの周波数ロケーションと、アンテナポートの数と、前記基地局との狭帯域通信のための展開モードとを示す情報を、ユーザ機器（ＵＥ）に送信することと、
前記チャネルの前記周波数ロケーションと、アンテナポートの前記数と、前記展開モードとに少なくとも部分的に基づいて、前記ＵＥと通信することと
を備える、方法。
［Ｃ２６］
前記情報がマスタ情報ブロック（ＭＩＢ）中で与えられ、
アンテナポートの前記数が、少なくとも、前記ＭＩＢ中の第１のフィールドによって示され、
前記チャネルの前記周波数ロケーションが、少なくとも、前記ＭＩＢ中の前記第１のフィールドと前記ＭＩＢ中の第２のフィールドとによって示され、
前記展開モードが、少なくとも、前記ＭＩＢ中の前記第１のフィールドと前記ＭＩＢ中の前記第２のフィールドとによって示される、
Ｃ２５に記載の方法。
［Ｃ２７］
前記情報がマスタ情報ブロック（ＭＩＢ）中で与えられ、
前記チャネルの前記周波数ロケーションが、広帯域セルの中心周波数に対する物理リソースブロック（ＰＲＢ）位置を示す前記ＭＩＢ中の第２のフィールドによって示される、Ｃ２５に記載の方法。
［Ｃ２８］
前記１つまたは複数のチャネルのうちの前記チャネルが、より広いシステム帯域幅の狭帯域領域中にあり、
前記情報は、前記ＢＳを備えるセルのためのセルＩＤが、前記より広いシステム帯域幅を使用する広帯域セルのためのセルＩＤと同じであるかどうかを示す、
Ｃ２５に記載の方法。
［Ｃ２９］
前記ＢＳを備えるセルが無認可スペクトル中にあるという指示を与えることをさらに備える、Ｃ２５に記載の方法。
［Ｃ３０］
前記指示が、マスタ情報ブロック（ＭＩＢ）または物理ブロードキャストチャネル（ＰＢＣＨ）のうちの少なくとも１つにおいて与えられる、Ｃ２９に記載の方法。
［Ｃ３１］
ワイヤレス通信のための装置であって、
１つまたは複数のチャネルのうちのチャネルの周波数ロケーションと、アンテナポートの数と、前記装置との狭帯域通信のための展開モードとを示す情報を、少なくとも１つのアンテナを介して、ユーザ機器（ＵＥ）に送信することと、
前記チャネルの前記周波数ロケーションと、アンテナポートの前記数と、前記展開モードとに少なくとも部分的に基づいて、前記ＵＥと通信することと
を行うように構成された少なくとも１つのプロセッサと、
前記少なくとも１つのプロセッサに結合されたメモリと
を備える、装置。
［Ｃ３２］
ワイヤレス通信のための装置であって、
１つまたは複数のチャネルのうちのチャネルの周波数ロケーションと、アンテナポートの数と、前記装置との狭帯域通信のための展開モードとを示す情報を、ユーザ機器（ＵＥ）に送信するための手段と、
前記チャネルの前記周波数ロケーションと、アンテナポートの前記数と、前記展開モードとに少なくとも部分的に基づいて、前記ＵＥと通信するための手段と
を備える、装置。
［Ｃ３３］
基地局（ＢＳ）によるワイヤレス通信のためのコンピュータ可読媒体であって、前記コンピュータ可読媒体が、
１つまたは複数のチャネルのうちのチャネルの周波数ロケーションと、アンテナポートの数と、前記装置との狭帯域通信のための展開モードとを示す情報を、ユーザ機器（ＵＥ）に送信するためのコードと、
前記チャネルの前記周波数ロケーションと、アンテナポートの前記数と、前記展開モードとに少なくとも部分的に基づいて、前記ＵＥと通信するためのコードと
を備える、コンピュータ実行可能コードを記憶した、コンピュータ可読媒体。
【外国語明細書】
2020058045000001.pdf